(57)【要約】【課題】本発明は目隠し機能を備えたペットケージを提供することを課題とする。【解決手段】少なくとも、平面上に起立した複数の面によって囲まれた空間を形成する側面部３と、側面部の上面を覆う上面部１１と、を備えたペットケージ１０において、側面部は、前記空間を形成する複数の側面構成ユニット１が、平面上に起立して連接されてなり、側面構成ユニットと上面部は、檻としての強度を備えた調光パネルと調光パネルをその端部で支持する枠体５を備えてなり、少なくとも側面部には、調光パネルの透明状態と不透明状態を切り替えるスイッチ２が備えられていることを特徴とするペットケージ。【選択図】図１
2019106971.tif 000002
【特許請求の範囲】
【請求項１】
少なくとも、平面上に起立した複数の面によって囲まれた空間を形成する側面部と、側面部の上面を覆う上面部と、を備えたペットケージにおいて、
側面部は、前記空間を形成する複数の側面構成ユニットが、平面上に起立して連接されてなり、
側面構成ユニットと上面部は、檻としての強度を備えた調光パネルと調光パネルをその端部で支持する枠体を備えてなり、
少なくとも側面部には、調光パネルの透明状態と不透明状態を切り替えるスイッチが備えられていることを特徴とするペットケージ。
【請求項２】
少なくとも、平面上に起立した複数の面によって囲まれた空間を形成する側面部と、側面部の上面を覆う上面部と、を備えたペットケージにおいて、
側面部は、前記空間を形成する複数の側面構成ユニットが、平面上に起立して連接されてなり、
側面構成ユニットと上面部は、檻としての強度を備えた格子と、格子を覆う調光パネルをその端部で支持する枠体を備えてなり、
少なくとも側面部には、調光パネルの透明状態と不透明状態を切り替えるスイッチが備えられていることを特徴とするペットケージ。
【請求項３】
少なくとも、平面上に起立した複数の面によって囲まれた空間を形成する側面部と、側面部の上面を覆う上面部と、を備えたペットケージにおいて、
側面部は、前記空間を形成する複数の側面構成ユニットが、平面上に起立して連接されてなり、
側面構成ユニットは、
複数の短冊状の調光パネルが、その長手方向を側面構成ユニットが延伸する方向と直交する方向に相互に平行に離間して配置された第１の構造体と、
第１の構造体における短冊状の調光パネルが配置されていない部位を目隠しするように短冊状の調光パネルが配置された第２の構造体と、が互いに平行に、且つ第２の構造体が第１の構造体の目隠し状態を維持可能な範囲内で、通気可能となるように離間して、第１の構造体と第２の構造体の周縁部を枠体によって固定されており、
上面部は、少なくとも調光パネルを備えており、
少なくとも側面部には、側面構成ユニットと上面部の調光パネルの透明状態と不透明状態を切り替えるスイッチが備えられていることを特徴とするペットケージ。
【請求項４】
少なくとも、平面上に起立した複数の面によって囲まれた空間を形成する側面部と、側面部の上面を覆う上面部と、を備えたペットケージにおいて、
側面部は、前記空間を形成する複数の側面構成ユニットが、平面上に起立して連接されてなり、
側面構成ユニットは、
複数の短冊状の調光パネルが、その長手方向を側面構成ユニットが延伸する方向と直交する方向に相互に平行に離間して配置され、枠体によって固定された第１の構造体と、
第１の構造体における短冊状の調光パネルが配置されていない部位を目隠しするように短冊状の調光パネルが配置され、枠体によって固定された第２の構造体とが、
互いに平行に、且つ第２の構造体が第１の構造体の目隠し状態を維持可能な範囲内で、通気可能となるように離間して、第１の構造体と第２の構造体の短冊状の調光パネルの長手方向に沿った枠体の周縁部を外側の枠体によって固定され、短冊状の調光パネルの長手方向の両端側の枠体と外側の枠体の間には通気可能に隙間が形成されており、
上面部は、少なくとも調光パネルを備えており、
少なくとも側面部には、側面構成ユニットと上面部の調光パネルの透明状態と不透明状
態を切り替えるスイッチが備えられていることを特徴とするペットケージ。
【発明の詳細な説明】
【技術分野】
【０００１】
本発明は犬や猫などのペットを住宅内で飼育するペットケージに関する。
【背景技術】
【０００２】
犬や猫などのペットを住宅内で飼育する場合、通常は放し飼いにしていても、例えば来客がある場合や夜間だけは、ペットケージにペットを入れる場合がある。ペットケージは、縦×横×高さが数十ｃｍ〜数ｍ程度の格子状パネルや柵状パネルで囲まれた箱型構造体である。
【０００３】
図４に従来のペットケージ１０´を例示した。従来のペットケージ１０´は四角筒状の側面を檻４´で囲み、必要な場合は上面にも同様の構造物を備えたものである。
ペットケージ１０´は、ペットをその内部に入れた場合であっても、人とペットが互いに視認可能にするため、また内部のペットにとって快適な環境にするため、格子状パネルなどによる檻４´が使用されることが多い。底面には、床面そのものを使用する場合もあるが、床面の汚れ防止やペットの飲み水や食べ残した食物を浸透させないようにするため、防水性のパネル材などが使用されることもある。
【０００４】
来客などによって、このようなペットケージに急にペットを入れた場合、例えば犬を入れた場合などは、自由に振舞っていた状態から狭いペットケージに中に入れられて、環境が急変するため、ペットケージの外にいる人に対して吠える場合があることが報告されている。特に集合住宅においてはその騒音が問題となる場合がある。
そのような場合の対処方法として、ペットケージの側面および上面を布などで覆うことや、板で目隠しをすることで、吠えなくなることが知られている。
【０００５】
しかしながら、ペットケージを目隠しするための大きな布や目隠し用の板などを用意しておき、必要な時に速やかにペットケージを覆うことは、保管スペースの面から見ても、また作業面から見ても容易ではない。
【０００６】
なお、ペットケージに関する先行技術としては、ペットケージの強度を確保した上で組立を容易にする技術、ペットケージの積み重ねや連結の容易さに着目した技術、およびペットケージの構造を単なる檻ではなく、デザイン性の高い柱やパネルを組み合わせることによって自分の縄張りの場所だと認識出来る空間を提供し、ペットのストレスを低減することを狙った愛玩動物用プライベートルーム（特許文献１）などが開示されている。
【先行技術文献】
【特許文献】
【０００７】
【特許文献１】特開２０１６−７２３１５号公報
【発明の概要】
【発明が解決しようとする課題】
【０００８】
上記の事情に鑑み、本発明は目隠し機能を備えたペットケージを提供することを課題とする。
【課題を解決するための手段】
【０００９】
上記の課題を解決する手段として、本発明の第一の態様は、少なくとも、平面上に起立した複数の面によって囲まれた空間を形成する側面部と、側面部の上面を覆う上面部と、を備えたペットケージにおいて、
側面部は、前記空間を形成する複数の側面構成ユニットが、平面上に起立して連接されてなり、
側面構成ユニットと上面部は、檻としての強度を備えた調光パネルと調光パネルをその端部で支持する枠体を備えてなり、
少なくとも側面部には、調光パネルの透明状態と不透明状態を切り替えるスイッチが備えられていることを特徴とするペットケージである。
【００１０】
ペットケージの側面部と上面部を、檻としての機械的な強度を備えた調光パネルを使用することによってペットケージとして使用可能であり、また調光パネルであるため、側面部または上面部またはその両方に備えられたスイッチによって、側面部と上面部の透明状態と不透明状態を切り替え可能である。そのため、通常は調光パネルを透明な状態で使用するが、来客などでペットをペットケージに入れた時には、スイッチの切り替えだけで、ペットケージの側面部と上面部を不透明な状態に、瞬時に変更することができる。
【００１１】
また第二の態様は、少なくとも、平面上に起立した複数の面によって囲まれた空間を形成する側面部と、側面部の上面を覆う上面部と、を備えたペットケージにおいて、
側面部は、前記空間を形成する複数の側面構成ユニットが、平面上に起立して連接されてなり、
側面構成ユニットと上面部は、檻としての強度を備えた格子と、格子を覆う調光パネルをその端部で支持する枠体を備えてなり、
少なくとも側面部には、調光パネルの透明状態と不透明状態を切り替えるスイッチが備えられていることを特徴とするペットケージである。
【００１２】
第二の態様におけるペットケージは、従来のペットケージと同様に側面部と上面部に十分な強度を備えた格子を使用し、それら全ての格子を調光パネルで覆った形態であるため、調光パネルは格子としての強度を備えていなくても良い。その他は、第一の態様と同様に、ペットケージを不透明にしたい時は、スイッチ操作で瞬時に透明・不透明を切り替えることができる。
【００１３】
また第三の態様は、少なくとも、平面上に起立した複数の面によって囲まれた空間を形成する側面部と、側面部の上面を覆う上面部と、を備えたペットケージにおいて、
側面部は、前記空間を形成する複数の側面構成ユニットが、平面上に起立して連接されてなり、
側面構成ユニットは、
複数の短冊状の調光パネルが、その長手方向を側面構成ユニットが延伸する方向と直交する方向に相互に平行に離間して配置された構造体Ａと、
構造体Ａにおける短冊状の調光パネルが配置されていない部位を目隠しするように短冊状の調光パネルが配置された構造体Ｂと、が互いに平行に、且つ構造体Ｂが構造体Ａの目隠し状態を維持可能な範囲内で、通気可能となるように離間して、構造体Ａと構造体Ｂの周縁部を枠体によって固定されており、
上面部は、少なくとも調光パネルを備えており、
少なくとも側面部には、側面構成ユニットと上面部の調光パネルの透明状態と不透明状態を切り替えるスイッチが備えられていることを特徴とするペットケージである。
【００１４】
第三の態様においては、ペットケージの側面部の１つの面を、２つの構造体Ａ、Ｂから構成する。構造体Ａにおいては、側面部の１つの面と同じ大きさの面に、例えば、同じ大きさの短冊状の調光パネルを、一定間隔で互いに離間させて配置したものである。構造体Ｂは、構造体Ａで短冊状の調光パネルが配置されていない位置に同じ大きさの短冊状の調光パネルを一定間隔で互いに離間させて配置したものである。構造体ＡとＢの短冊状の調光パネルは、その端部において互いに重なりを持っており、その重なりによって、向う側
が視認不能となるようになっている。また通気可能な距離だけ離間した状態で配置されているため、ペットケージの内部の換気状態を良好に保つ事ができる。
【００１５】
また、第四の態様は、少なくとも、平面上に起立した複数の面によって囲まれた空間を形成する側面部と、側面部の上面を覆う上面部と、を備えたペットケージにおいて、
側面部は、前記空間を形成する複数の側面構成ユニットが、平面上に起立して連接されてなり、
側面構成ユニットは、
複数の短冊状の調光パネルが、その長手方向を側面構成ユニットが延伸する方向と直交する方向に相互に平行に離間して配置され、枠体によって固定された構造体Ａと、
構造体Ａにおける短冊状の調光パネルが配置されていない部位を目隠しするように短冊状の調光パネルが配置され、枠体によって固定された構造体Ｂとが、
互いに平行に、且つ構造体Ｂが構造体Ａの目隠し状態を維持可能な範囲内で、通気可能となるように離間して、構造体Ａと構造体Ｂの短冊状の調光パネルの長手方向に沿った枠体の周縁部を外側の枠体によって固定され、短冊状の調光パネルの長手方向の両端側の枠体と外側の枠体の間には通気可能に隙間が形成されており、
上面部は、少なくとも調光パネルを備えており、
少なくとも側面部には、側面構成ユニットと上面部の調光パネルの透明状態と不透明状態を切り替えるスイッチが備えられていることを特徴とするペットケージである。
【００１６】
第四の態様においては、側面部を構成する構造体Ａと構造体Ｂが枠体によって短冊状の調光パネルが支持され、その枠体の上側と下側において、外側の枠体との間に隙間が形成された構成で、枠体が外側の枠体によって固定され、支持されているため、第三の態様におけるペットケージより、通気性が向上している。
【発明の効果】
【００１７】
本発明のペットケージは、起立した側面部と上面部を調光パネルからなる檻で構成し、調光パネルの透明・不透明の切り替えスイッチを備えているため、スイッチ操作で容易に内部を目隠し可能とすることができる。
【図面の簡単な説明】
【００１８】
【図１】本発明のペットケージの一例を示す俯瞰図であって、（ａ）は調光パネルが透明な状態、（ｂ）は調光パネルが不透明な状態、を例示している。
【図２】本発明のペットケージの側面部を例示した側面説明図であって、（ａ）はペットケージの側面部が調光パネルだけで構成された例、（ｂ）はペットケージの側面部が従来のペットケージの檻と調光パネルで構成された例、をそれぞれ示している。
【図３】本発明のペットケージの側面部を例示した側面説明図であって、（ａ）側面説明図、（ｂ）は（ａ）を上面から見た場合の断面説明図、（ｃ）は、（ａ）の例とは別の構成の側面説明図、を示している。
【図４】従来のペットケージの一例を示す俯瞰図。
【発明を実施するための形態】
【００１９】
本発明のペットケージについて、図１〜図３を用いて説明する。
図１は、本発明のペットケージ１０、１０−１を俯瞰的に例示した説明図である。基本的な構成としては、ペットケージ１０、１０−１を載置する床面から起立した複数の面である側面構成ユニット１、１−１からなる側面部３、３−１と、側面部３、３−１の上部を覆う上面部１１、１１−１と、を備えている。本発明のペットケージ１０、１０−１においては、側面部３、３−１を構成する各側面構成ユニット１、１−１は調光パネルからなる。
【００２０】
各側面構成ユニット１、１−１の調光パネルは、枠体５によって支持されることで側面構成ユニット１、１−１を構成している。
【００２１】
図１（ａ）は、複数の側面構成ユニット１からなる側面部３と上面部１１が透明な状態のペットケージ１０を例示している。図１（ｂ）は、図１（ａ）の側面部３と上面部１１が不透明な状態となった側面部３−１と上面部１１−１で構成されたペットケージ１０−１を例示したものである。
【００２２】
＜第一の実施形態＞
図２（ａ）は、不透明な状態のペットケージ１０−１を例にとり、本発明の第一の実施形態の側面構成ユニット１−１を例示したものである。
本発明のペットケージの第一の実施形態は、少なくとも、平面上に起立した複数の面によって囲まれた空間を形成する側面部３−１と、側面部３−１の上面を覆う上面部１１−１と、を備えたペットケージ１０−１である（図１（ｂ）参照）。
【００２３】
第一の実施形態においては、側面部３−１は、前記空間を形成する複数の側面構成ユニット１−１が、平面上に起立して連接されている。側面構成ユニット１−１と上面部１１−１は、檻としての強度を備えた調光パネル１２−１と調光パネル１２−１をその端部で支持する枠体５を備えている。少なくとも側面部３−１には、調光パネル１２−１の透明状態と不透明状態を切り替えるスイッチ２が備えられている。このスイッチ２としては、人が直接操作するスイッチでも良いし、リモコンを使用して遠隔操作可能なスイッチであっても良い。
【００２４】
（調光パネル）
第一の実施形態における調光パネル１２−１は、檻としての強度を備えた調光パネルとするため、２枚の透明電極付の透明樹脂基材の透明電極側を内側として、液晶材料などからなる調光層をサンドイッチして作製した調光積層体を、接着層を介して檻としての強度を備えた透明な強化ガラス板や透明なプラスチック板に貼り付けることによって作製することができる。
【００２５】
（側面構成ユニット）
第一の実施形態における側面構成ユニット１−１は、強化ガラス板やプラスチック板に調光積層体を接着した調光パネル１２−１の周縁部に枠体５に嵌め込んだ形態となっている。
枠体５は、上記で説明した強化ガラス板やプラスチック板に調光積層体を接着した調光パネル１２−１を、それらの端部で支持可能な構造を備えていれば、特にその構造を限定する必要は無い。建物や鉄道車両などの厚いガラス窓を固定し支持する手段と同様の構造を備えた手段で良い。例えば、調光積層体の厚さより僅かに厚い板を挿入可能であり、延伸する方向に直交する断面形状がコの字状の形態を備えた枠体とすることができる。枠体５の材料としては、各種の金属を好適に使用可能である。金属だけでなく、機械的な強度を備えている材料であれば使用することができる。例えば、木製やプラスチック製の枠体であっても構わない。枠体５と調光積層体を接着剤によって接着すればより確実に固定する事が可能である。
【００２６】
＜第二の実施形態＞
本発明のペットケージの第二の実施形態は、第一の実施形態における、檻としての強度を備えた調光パネルを、檻としての強度を備えた格子４と格子４を覆う調光パネル１２−２に入替え、調光パネル１２−２の周縁部を枠体５−１で固定し、支持した構成を備えたペットケージ１−２である（図２（ｂ）参照）。
【００２７】
第一の実施形態の調光パネル１２−１と異なるのは、調光パネル１２−２が強化ガラス板などの強度の高い板に貼り付けられていないため、機械的に高い強度を備えていないことである。檻としての強度は、従来から使用されている格子４が担っている。この格子４の内側または外側に檻としての強度を備えていない調光パネルまたは調光フィルムが、枠体５−１に固定され、支持されて備えられている。
【００２８】
＜第三の実施形態＞
図３（ａ）は、本発明の第三の実施形態の側面構成ユニット１−３を例示した正面図である。図３（ｂ）は図３（ａ）を上面から見た説明図である。
【００２９】
本発明の第三の実施形態は、第一の実施形態における側面構成ユニット１−１が、図３（ａ）および（ｂ）に例示した側面形成ユニット１−３と入れ替えた構成を備えている。
側面形成ユニット１−３は、複数の短冊状の調光パネルＡが、その長手方向を側面構成ユニット１−３が延伸する方向と直交する方向に相互に平行に離間して配置された構造体Ａと、構造体Ａにおける短冊状の調光パネルＡが配置されていない部位を目隠しするように短冊状の調光パネルＢが配置された構造体Ｂと、が互いに平行に、且つ構造体Ｂが構造体Ａの目隠し状態を維持可能な範囲内で、通気可能となるように離間して、構造体Ａと構造体Ｂの周縁部を枠体によって固定されている。その他は、第一の実施形態と同様である。
【００３０】
また、上面部も側面構成ユニット１−３と同様の構成を備えていても良い。少なくとも調光パネルを備えていて、透明状態と不透明状態をスイッチ操作によって切り替え可能となっていれば良い。
【００３１】
また、図１（ｂ）に例示した様に、少なくとも側面部３−１には、調光パネルの透明状態と不透明状態を切り替えるスイッチ２が備えられている。スイッチ２は、上面部１１−１に別個に備えられていても良いし、側面部３−１に備えられたスイッチ２によって、側面部３−１と上面部１１−１の調光パネルの切り替えを行える様にしても構わない。その逆に、上面部１１−１に備えられたスイッチ２によって、側面部３−１と上面部１１−１に備えられた調光パネルの切り替えを行える様にしても良い。
【００３２】
図３（ｂ）は、図３（ａ）に示した側面構成ユニット１−３を上方から見た場合の断面構造を例示した説明図である。第三の実施形態における側面構成ユニット１−３は、構造体Ａと構造体Ｂを枠体５−２によって支持された側面構成ユニットである。上記で説明したように、構造体Ａは、短冊状の調光パネルＡが任意の距離をあけて、側面部が床面から起立する方向に短冊状の調光パネルＡの長手方向が平行に配置されている。前記の任意の距離は、一定の距離であっても良いし、ランダムな値でも良いし、一定の規則に従って変化する値であっても構わない。
【００３３】
構造体Ｂは構造体Ａと同様に、短冊状の調光パネルＢが、側面部が床面から起立する方向に短冊状の調光パネルＢの長手方向が平行に、且つ離間して配置されているものである。構造体Ａと異なる点は、短冊状の調光パネルＢが配置される位置が、図３（ｂ）に例示したように、構造体Ａの短冊状の調光パネルＡが配置されていない部位を目隠しするように配置されている点である。その様に配置することで、側面構成ユニット１−３を通してその反対側を視認することをできなくしている。また、構造体Ａと構造体Ｂとは、枠体５−２によって、互いに離間して固定され、支持されている。この様にすることで、構造体Ａの短冊状の調光パネルＡと、構造体Ｂの短冊状の調光パネルＢとは、それらの端部で重なる部分が形成され、目隠し可能とすると同時に、その部分には隙間が形成されているため、構造体Ａから構造体Ｂまたはその逆の方向に通気可能となっている。また、短冊状の調光パネルＡとＢは、檻として機能する強度を備えている。
【００３４】
側面構成ユニット１−３の作製方法としては、特に限定する必要は無いが、例えば構造体Ａと構造体Ｂをそれぞれ作製しておいて、それらの枠体５−２に固定することによって作製することができる。構造体Ａと構造体Ｂは、短冊状の調光パネルＡとＢを作製し、それらの短冊状の調光パネルを、枠体５−２と同等のサイズの枠体に、短冊状の調光パネルＡを所望の位置に配置して固定することで作製することができる。枠体に短冊状の調光パネルＡ、Ｂを固定する手段としては、例えば、接着剤を用いて接着することができるが、固定可能な任意の手段を使用すれば良い。その様にして構造体Ａ、Ｂを作製した後、枠体５−２にそれぞれ固定すれば良い。固定する手段としては、例えば接着剤を使用して接着しても良いし、構造体Ａ、Ｂを枠体５−２にねじ止めなどの機械的な固定手段を用いて固定しても良い。
【００３５】
＜第四の実施形態＞
図３（ｃ）は、本発明の第四の実施形態のペットケージで使用される側面構成ユニット１−４を例示した正面図である。
【００３６】
第三の実施形態と異なる点は、短冊状の調光パネルＡが互いに離間して配置された構造体Ａと短冊状の調光パネルＢが互いに離間して配置された構造体Ｂが、枠体５−４に固定され支持されている事と、その枠体５−４が外側の枠体５−３によって固定され、支持されている事である。また、外側の枠体５−３と枠体５−４の一部には隙間８、９が形成されている。一部とは、短冊状の調光パネルＡ、Ｂの長手方向の両端部側の枠５−４とそれに面した外側の枠体５−３の間の部分である。そのようにして、側面構成ユニット１−４の上下の端部が固定され支持された枠体５−４と外側の枠体５−３の間に隙間が形成されている点が第三の実施形態とは異なり、通気性が向上する効能を発揮する。
【００３７】
＜ペットケージの作製方法＞
上記第一から第四の実施形態で説明した側面構成ユニット１−１、１−２、１−３、１−４を用いて、まず側面部３−１を作ることができる。例えば図１（ｂ）に例示したような直方体形状のペットケージ１０−１を作製する場合は、例えば室内の床面に同じ寸法の４つの側面構成ユニット１−１起立させた状態で、互いにそれらの端部を接した状態で接合することで、角筒状の側面部３を形成することができる。
【００３８】
次に、角筒状の側面部３の上面の寸法に合せて作製した側面構成ユニット１−１と同等の構成である枠体に檻としての強度を備えた調光パネルが支持された上面部１１−１を作製した後、側面部３−１の上部にのせ固定することにより、ペットケージ１０−１を作製することができる。上面部１１−１は、檻としての強度を備えていない調光機能を備えたものを使用しても良い。
【００３９】
この様にして作製したペットケージ１０−１は、上面部１１−１を容易に取り外すことができるようにすることができる。また上面部１１−１を、蓋を開ける様に開けることができるようにするため、上面部１１−１の一辺は側面部３−１に回動可能に支持されていても良い。他の辺は、側面部３−１にワンタッチで固定および取り外しができる様にしておけば良い。
【００４０】
側面部３−１は、４つの側面構成ユニット１−１が床面から起立した状態で、角筒を形成しているが、隣接する側面構成ユニット１−１同士は、隣接している辺を軸として回動可能に接合することができる。例えば、蝶番を使用して隣接する側面構成ユニット１−１を回動可能に接合することができる。回動可能に接合できる手段であればどのような手段であっても構わない。このような構成にすることで、ペットケージ１０−１を容易に折り畳むことも可能となる。
【００４１】
また、側面部３−１のいずれかまたは全ての側面構成ユニット１−１、１−２、１−３、１−４に、ペットの出入り口を備えて置く事もできる。
【００４２】
床面側には、何も無くても良いし、床面を汚さないために防水性のトレイを用いた部材を使用しても良い。防水性のトレイの上に、ペットの居心地を良くする部材やペットの臭いを吸収する部材などの機能性部材を備えて使用することができる。
【００４３】
以上の様にして作製したペットケージは、側面部および上面部に調光パネルを備えており、スイッチ操作やリモコン装置による遠隔操作により、ワンタッチで側面部と上面部の透明状態と不透明状態を切り替えることができる。
【００４４】
また、折り畳んで収納することも容易であり、また逆に収納されていたペットケージを取り出して、組み立てることも容易で行うことができる。
【００４５】
なお、本発明に係るペットケージは、各実施形態の構成に限定されるものではなく、各実施形態をそれぞれ組み合わせた構成であってもよい。例えば、店舗等にてペットを展示する目的で使用するペットゲージの場合、来店客側に面する側面は強化ガラスやアクリル板に調光積層体を設けておく。一方で来店客側に面しない側面は図３に示すような構成にする。これにより、ペットへのいたずらを回避しつつも通気性を確保し、かつ確実な目隠し機能を有することができる。
【符号の説明】
【００４６】
１、１−１、１−２・・・側面構成ユニット
２・・・スイッチ
３、３−１、３−２、３−３・・・（ペットケージの）側面部
４・・・（ペットケージの）格子
５、５´、５−１、５−２・・・（ペットケージの）枠体
５−３・・・外側の枠体
５−４・・・枠体
６・・・（分割された調光パネルの）重なり部
７、８、９・・・隙間
１０、１０´、１０−１・・・ペットケージ
Ａ、Ｂ・・・短冊状の調光パネル
１１、１１−１・・・上面部
１２−１、１２−２・・・調光パネル
【図１】
2019106971.tif 000003
【図２】
2019106971.tif 000004
【図３】
2019106971.tif 000005
【図４】
2019106971.tif 000006